(57)【特許請求の範囲】
【請求項１】
外側ガラリ（１）に内側ガラリ（２）と防塵フィルタ収納部（３）を仮装着したうえキャビネット（７）に開口した換気孔（８）に外側から取り付ける盤用換気装置であって、前記防塵フィルタ収納部（３）にフィルタ脱落防止カバー（４）を取り付けて、該フィルタ脱落防止カバー（４）は換気扇を取り付け可能として、さらに、前記フィルタ脱落防止カバー（４）は係止鉤片（４１）を前記防塵フィルタ収納部（３）に係合させるとともに止めねじ（４２）により着脱自在として取り付けることを特徴とする盤用換気装置。
【請求項２】
内側ガラリ（２）と防塵フィルタ収納部（３）の取付フランジ部（３２）を外側ガラリ（１）の周枠部（１３）の内側に嵌合して仮装着した請求項１に記載の盤用換気装置。
【請求項３】
外側ガラリ（１）と内側ガラリ（２）の間に空間（６）を設けた請求項１又は２に記載の盤用換気装置。
【請求項４】
内側ガラリ（２）に設けたガラリ板（２２）の先端を下向きとした請求項１〜３の何れかに記載の盤用換気装置。
【請求項５】
内側ガラリ（２）のガラリ板（２２）を上向きにした請求項１〜３の何れかに記載の盤用換気装置。
【請求項６】
内側ガラリ（２）の垂直板（２２ｃ）を外側ガラリ（１）の開口（１９）に対応するように設けた請求項２〜５の何れかに記載の盤用換気装置。
【請求項７】
フィルタ脱落防止カバー（４）にガラリ板（４６）を設けた請求項１〜６の何れかに記載の盤用換気装置。
【請求項８】
内側ガラリ（２）の下方に水抜き孔（２４）を設けるとともに、外側ガラリ（１）の下方に水抜き部を設けた請求項１〜７の何れかに記載の盤用換気装置。
【発明の詳細な説明】
【０００１】
【発明の属する技術分野】
本発明は、屋外に設置した配電盤、制御盤等の盤類のキャビネット内に換気口から雨水が浸入するのを防止させて換気を行う盤用換気装置に関するものである。
【０００２】
【従来の技術】
キャビネット内に雨水が浸入するのを防止させて換気を行う盤用換気装置としては、換気口の外側にガラリを設け、これにより先ず雨水の浸入を防止して、ガラリを通過した雨水はガラリの内側に配設した防塵用フィルタにより防ぐものが普通であった。
【０００３】
【発明が解決しようとする課題】
ところが、この従来のものにあっては、暴風やビル風等により吹き上げられる雨水の噴流は防塵用フィルタを通過して浸入し、また、雨水の浸入を防止できるように防塵用フィルタを厚くしたり、フィルタの目を細かくした場合に換気効率が悪くなる問題がある。
【０００４】
【課題を解決するための手段】
前記の課題を解決するためになされた本発明の盤用換気装置は、外側ガラリに内側ガラリと防塵フィルタ収納部を仮装着したうえキャビネットに開口した換気孔に外側から取り付ける盤用換気装置であって、前記防塵フィルタ収納部にフィルタ脱落防止カバーを取り付けて、該フィルタ脱落防止カバーは換気扇を取り付け可能として、さらに、前記フィルタ脱落防止カバーは係止鉤片を前記防塵フィルタ収納部に係合させるとともに止めねじにより着脱自在として取り付けることを特徴とするものを請求項１に係る発明とする。この請求項１の発明において、内側ガラリと防塵フィルタ収納部の取付フランジを外側ガラリの周枠部の内側に嵌合して仮装着したものを請求項２に係る発明とする。また、前記請求項１又は２の発明において、外側ガラリと内側ガラリの間に空間を設けたものを請求項３に係る発明とする。また、これらの発明において、内側ガラリに設けたガラリ板の先端を下向きとしたものを請求項４に係る発明とし、また、請求項１〜３の発明において、内側ガラリのガラリ板を上向きにしたものを請求項５に係る発明とする。そして、前記請求項２〜５の何れかの発明において、内側ガラリの垂直板を外側ガラリの開口）に対応するように設けたものを請求項６に係る発明とし、また、これらの発明において、フィルタ脱落防止カバーにガラリ板を設けたものを請求項７に係る発明とし、さらに、これらの発明おいて、フィルタ脱落防止カバーにガラリ板を設けたものを請求項８に係る発明としたものである。
【０００５】
【発明の実施の形態】
次に、本発明の好ましい実施の形態を示す。
１は板状のガラリ本体１１に先端が外向きで斜め下向きの多数のガラリ板１２を配設して各ガラリ板１２により横長の換気口１２ａを形成した外側ガラリであり、該外側ガラリ１のガラリ本体１１の周縁には内向きの周枠部１３が張設されている。２は板状のガラリ本体２１に多数の傾斜板よりなるガラリ板２２を配設して各ガラリ板２２により横長の換気口２２ａを形成した内側ガラリであり、該内側ガラリ２は前記外側ガラリ１に仮装着可能とされている。即ち、図６に示す実施形態においては、板状のガラリ本体２１の周縁を前記外側ガラリ１の周枠部１３の内面に防水用のパッキン１４を介して嵌合して仮装着し、また、図７に示す実施形態においてはパッキン１４を介することなく周枠部１３に直接嵌合して仮装着をするものとしている。さらに、図８に示す実施形態にあっては、外側ガラリ１の背面４隅に取付ボルト１５を植設して、該取付ボルト１５に内側ガラリ２の四隅に穿設したボルト挿通孔２３を嵌合して仮装着させている。
【０００６】
３は前記内側ガラリ２の背面に設けた防塵フィルタ収納部、この防塵フィルタ収納部３は枠筒体３１の前縁に外形寸法を内側ガラリ２の外形寸法と略同一とした取付フランジ部３２を張設したもので、該取付フランジ部３２を内側ガラリ２の背面に添装して設けられており、前記内側ガラリ２と同様に外側ガラリ１に仮装着可能とされている。なお、防塵フィルタ収納部３を内側ガラリ２と一体構造とした場合には内側ガラリ２を外側ガラリ１に仮装着することにより防塵フィルタ収納部３も仮装着されることは勿論である。
【０００７】
４は防塵フィルタ収納部３の背面開口３３に取り付けるフィルタ脱落防止カバーであり、該フィルタ脱落防止カバー４は下端に形成した係止鉤片４１を防塵フィルタ収納部３の下部に折曲形成した折曲板部３４に係合させるとともに上端側を止めねじ４２により着脱自在として取り付けられている。また、このフィルタ脱落防止カバー４には換気扇５が取付可能とされている。即ち、図示の実施形態ではフィルタ脱落防止カバー４の四隅に設けた押え片４３にねじ孔４４を設けて止めねじ４５により換気扇５を取付可能としている。なお、フィルタ脱落防止カバー４に係止孔を設け、換気扇側に係止爪を設けてもよく、取付手段は特に限定されるものではない。さらに、図１３に示すように該フィルタ脱落防止カバー４にガラリ４６を設けてもよい。６は外側ガラリ１と内側ガラリ２との間に形成した空間であり、該空間６は外側ガラリ１の四隅に取り付けた取付ナット１６をスペーサとして形成されている。
【０００８】
また、前記内側ガラリ２の板状のガラリ本体２１に多数配設したガラリ板２２の形状は、図１〜図８に示す実施形態においてはガラリ板２２をガラリ本体２１から後向き斜め下向きとし、図９に示す実施形態においてはガラリ板２２を前向き斜め上向きとし、図１０に示す実施形態においてはガラリ板２２をガラリ本体２１から後向き斜め下向きとしたうえ先端下方を垂直となるように折り曲げたものとしている。また、図１１に示す実施形態においては内側ガラリ２のガラリ板２２を外側ガラリ１のガラリ板１２と同数として、対応するガラリ板２２を外側ガラリ１のガラリ板１２より少し下方に位置させて言い換えれば互い違いに配置し、ガラリ板１２からの雨水の大部分が垂直部２２ｃに当たるようにしておきガラリ本体２１から後向き斜め下向きとし、図１２に示す実施形態においては内側ガラリ２のガラリ２２を外側ガラリ１のガラリ板１２と同数として、対応するガラリ板２２を外側ガラリ１のガラリ板１２より少し下方に位置させて言い換えれば互い違いに配置し、ガラリ板１２からの雨水の大部分が垂直部２２ｃに当たるようにしておきガラリ本体２１から後向き斜め上向きに形成している。また、図１３に示す実施形態においては、図１の実施形態のものにフィルタ脱落防止カバー４にガラリ板４６を設けたものである。
【０００９】
このように構成されたものは、外側ガラリ１に内側ガラリ２と防塵フィルタ収納部３を仮装着して組み合わせた状態でキャビネット７に開口した換気孔８に外側から取り付けるものであるから、取り付けが作業を容易となるものである。この場合、内側ガラリ２と防塵フィルタ収納部３の取付フランジ部３２を外側ガラリ１の周枠部１３の内側に嵌合して仮装着することにより、外側ガラリ１の四隅に取り付けた取付ナット１６と内側ガラリ２の四隅に穿設したボルト挿通孔２３及び防塵フィルタ収納部３の取付フランジ部３２の四隅に穿設したボルト挿通孔３３とが位置ずれしないのでキャビネット７側から螺合する取付ボルト１７の螺合作業も容易となり、防塵フィルタ収納部３と内側ガラリ２を一体構造とした場合にはさらに作業が容易となる。
【００１０】
そして、本発明にか係る盤用換気装置は前記したとおり、外側ガラリ１に内側ガラリ２と防塵フィルタ収納部３を組み合わせたものであるから、外側ガラリ１を通過した雨水は内側ガラリ２に当ったうえ下方に流下して外部に排出され、また、霧化した雨水は防塵フィルタ収納部３に収納した防虫網９ａ、防塵フィルタ９ｂ等のフィルタ類９により阻止されるのでキャビネット７内に雨水が浸入する虞が無いものである。
【００１１】
また、前記防塵フィルタ収納部３にはフィルタ脱落防止カバー４が取り付けられているので、防塵フィルタ収納部３に収納したフィルタ類９が内側ガラリ２を通して吹き込む風で脱落する虞のないものである。さらに、この防塵フィルタ収納部３は換気扇取り付け可能なものとされているので、換気効率を高めるため換気扇５を後付けする場合に追加部品を用意することなく取り付けできるものであり、また、換気扇５はフィルタ脱落防止カバー４に取り付けられていることから、フィルタ脱落防止カバー４を外すことにより換気扇５も防塵フィルタ収納部３の背面開口から外れるのでフィルタ類９の交換作業の障害とはならないものである。
【００１２】
次に、外側ガラリ１と内側ガラリ２との間に空間６を設けることにより、内側ガラリ２は外側ガラリ１から離れるためその分雨水の到達距離が遠くなり、内側ガラリ２を通過する雨水をより減少させることができる。また、外側ガラリ１の開口１９と内側ガラリ２の開口２９とを合致させなくともよいので、外側ガラリ１と内側ガラリ２のガラリ板の枚数選定や、外側ガラリ１の開口１９に対応する内側ガラリ２の垂直板２２ｃを配置して雨風の大部分を垂直板２２ｃに当たるようにして通過する雨水を減少させることができる。
【００１３】
また、内側ガラリ２の板状のガラリ本体２１に多数配設したガラリ板２２の形状を、図１〜図８に示す実施形態のようにガラリ板２２をガラリ本体２１から後向き斜め下向きとしたものにあっては、ガラリ２２板が防塵フィルタ収納部３内に入り込む構成となるからガラリ板２２から流れ落ちた雨水は防塵フィルタ収納部３の底部からガラリ本体２１の下方に設けた水抜き孔２４を介して外側ガラリ１の周枠部１３の下枠板１３ａに設けた水抜き部である切欠部１３ｂから外部に排出されることとなる。
【００１４】
図９に示す実施形態に示すように、ガラリ板２２を前向き斜め上向きとしたものにあっては、ガラリ板２２が空間６に位置することとなるから、雨水が防塵フィルタ収納部３に入る前に空間６の下方即ち、外側ガラリ１の周枠部１３の下枠板１３ａに流れ落ちるから防水性能を上げることができる。また、この実施形態ではガラリ板２２が防塵フィルタ収納部３内に位置しないのでその分防塵フィルタ収納部３の厚さを薄くすることができ装置全体の厚さを薄くすることができる。
【００１５】
図１０に示す実施形態のように、ガラリ板２２をガラリ本体２１から後向き斜め下向きとしたうえ先端下方を垂直となるように折り曲げたものにあっては、この垂直個所により雨水が真下に流下するのでキャビネット内への浸入をより防止できるものである。
【００１６】
また、図１１に示す実施形態のように、内側ガラリ２のガラリ板２２を外側ガラリ１のガラリ板１２と同数として、対応するガラリ板２２を外側ガラリ１のガラリ板１２より少し下方に位置させてガラリ本体２１から後向き斜め下向きとしたものにあっては、外側ガラリ１を通過して浸入する雨水を内側ガラリ２の開口の無い垂直板２２ｃに当て、勢いを減少させ、防塵フィルタ収納部３への浸入を抑制することができる。
【００１７】
さらに、図１２に示す実施形態のように内側ガラリ２のガラリ板２２を外側ガラリ１のガラリ１２板と同数として、対応するガラリ板２２を外側ガラリ１のガラリ１２より少し下方に位置させてガラリ本体２１から後向き斜め上向きに形成したものにあっては、外側ガラリ１から浸入する雨水を内側ガラリ２の開口の無い垂直板２２ｃに当て、勢いを減少させ、防塵フィルタ収納部３への浸入を抑制するとともに雨水の流れる向きを真上に変え、防塵フィルタ収納部３への浸入をさらに抑制するものである。
【００１８】
また、図１３に示すようにフィルタ脱落防止カバー４にガラリ板４６を設けていることにより内側ガラリ２で防ぎ切れない雨水があっても、該ガラリ板４６によりキャビネット内への浸入を阻止できるものである。
【００１９】
【発明の効果】
以上に説明したように、本発明の盤用換気装置は外側ガラリに内側ガラリと防塵フィルタ収納部を仮装着してキャビネットに開口した換気孔に外側から取り付けるものであるから、取り付け作業を容易に行えるものであり、また、外側ガラリを通過して浸入した雨水は内側ガラリにより阻止されるのでキャビネット内への浸入を防止できるものである。
よって、本発明は従来の盤用換気装置の問題点を解決したものとして、業界にもたらす益大なものである。
【図面の簡単な説明】
【図１】本発明の実施形態の一例を示す断面図である。
【図２】本発明の実施形態の一例を分解して示す断面図である。
【図３】本発明の実施形態の一例を示す背面図である。
【図４】本発明の実施形態の一例に換気扇を後付けして示す背面図である。
【図５】本発明の実施形態の一例に使用する内側ガラリを示す正面図である。
【図６】本発明の内側ガラリを外側ガラリに仮装着した一手段を示す断面図である。
【図７】本発明の内側ガラリを外側ガラリに仮装着した他の手段を示す断面図である。
【図８】本発明の内側ガラリを外側ガラリに仮装着した他の手段を示す断面図である。
【図９】内側ガラリの形状を異にした実施形態を示す断面図である。
【図１０】内側ガラリの形状を異にした他の実施形態を示す断面図である。
【図１１】内側ガラリの形状を異にした他の実施形態を示す断面図である。
【図１２】内側ガラリの形状を異にした他の実施形態を示す断面図である。
【図１３】フィルタ脱落防止カバーにガラリ板を設けた実施形態を示す断面図である。
【符号の説明】
１  外側ガラリ、２  内側ガラリ、３  防塵フィルタ収納部、４  フィルタ脱落防止カバー、６  空間、７  キャビネット、８  換気孔、１２  ガラリ板、１３  周枠部、２２  ガラリ板、３２  取付フランジ部、４６  ガラリ板
【図１】
0004730870.tif 000002
【図２】
0004730870.tif 000003
【図３】
0004730870.tif 000004
【図４】
0004730870.tif 000005
【図５】
0004730870.tif 000006
【図６】
0004730870.tif 000007
【図７】
0004730870.tif 000008
【図８】
0004730870.tif 000009
【図９】
0004730870.tif 000010
【図１０】
0004730870.tif 000011
【図１１】
0004730870.tif 000012
【図１２】
0004730870.tif 000013
【図１３】
0004730870.tif 000014